(57)【特許請求の範囲】
【請求項１】
押し出し材からなるLEDを取り付けるＬＥＤ取り付け台と押し出し材からなる前記LED取り付け台からの熱を放熱するヒートシンクにおいて一方の曲面形状に対応する他方の接触面を、それぞれ押し出し形状として構成させることにより、前記LED取り付け台の回転時において、前記LED取り付け台と前記接触面にて、前記ヒートシンクが互いに接触を保ちながら回転し、前記LED取り付け台回転時における角度の変化時においても前記LEDから発するLED取り付け台の熱を前記ヒートシンクに伝導し放熱させることを特徴とするLED照明灯において、前記ＬＥＤ取り付け台と前記ヒートシンクの互いに接触する接触面は、ばねの力による圧力が常に加わっていることを特徴とするLED照明灯の構造。
【発明の詳細な説明】
【技術分野】
【０００１】
本発明は、LED照明灯の構造として使用される。
【背景技術】
【０００２】
ＬＥＤはその特性である指向性により、対象に投光する場合、広範囲に光を投光しようとすると、光拡散板を使用しなければならない、しかしながら光拡散板等を使用したりすると、投光された光は拡散板により反射を繰り返し、外部に投光されるので、それにより光は減衰し、より多くの光量を必要とするのでＬＥＤの電力を大きくしなければならず、それに伴い発熱量も増加する、ところがこの熱によりＬＥＤも劣化してしまうので、熱によるＬＥＤ劣化を防ぐために、その熱を抑えるより大きな放熱器（以下ヒートシンクと呼ぶ）を必要になる、そのため、ＬＥＤからの光を限られた対象に投光するために、通常ＬＥＤは、その投光角度を変えられるような、LED照明灯本体と独立した構造の熱伝導性の良いアルミニューム板等からなるＬＥＤ取り付け台に取り付けられている、そのため、ヒートシンクになるＬＥＤ照明灯本体へ熱を伝導する為の通路面積（通路面積は熱伝導に比例するので）を大きくとることが困難となりＬＥＤ取り付け台角度を動かして対象とする物体に投光する場合高い温度を発生する高輝度のＬＥＤを用いることが困難であった。
【発明の概要】
【発明が解決しようとする課題】
【０００３】
本発明は、ＬＥＤを取り付けたアルミニューム等の押し出し材からなる、ＬＥＤ取り付け台と、同じく押し出し材からなる、ヒートシンク部となるＬＥＤ照明灯本体の、接触部形状を曲面状とすることにより、投光のため前記ＬＥＤ取り付け台の角度を変化させても常に前記ＬＥＤ照明灯本体と一定の圧力にて面同士を接触させることができ、前記ＬＥＤからの熱を少ない接触抵抗にて前記ＬＥＤ照明灯本体に熱伝導できるので、高輝度のＬＥＤから生じる熱の放熱問題を解消できる。
【発明の効果】
【０００４】
高輝度のＬＥＤから生じる熱の放熱問題を解消できる。
【図面の簡単な説明】
【０００５】
【図１】(1a)従来のLED照明灯(CU)構造          (2a)図(1a)におけるS-S間断面図と投光角度(θ)          (3a)図(1a)におけるS-S間断面図と投光角度(θ)とLED取り付け台角度(α)
【図２】(1b)本発明によるLED取り付け台(Top)押し出し面図          (2b)本発明によるLED取り付け台(Top)斜視図
【図３】(1c)本発明によるLED照明灯本体(Bot)押し出し面図（ヒートシンク）          (2c)本発明によるLED照明灯本体(Bot)（ヒートシンク）斜視図
【図４】(1d)本発明によるLED取り付け台(Top)をLED照明灯本体(Bot)にまさに嵌めこもうとする図(2d)本発明によるLED取り付け台(Top)をLED照明灯本体(Bot)に嵌めこんだ図(3d)LED取り付け台に力を加えてLED照明灯本体をβ度回転させた図
【図５】(1e) 本発明によるLED取り付け台(Top)をLED照明灯本体(Bot)に嵌めこんだ斜視図(2e) 本発明によるLED取り付け台(Top)に複数のLEDを設置した斜視図
【図６】本発明によるLED取り付け台(Top)をLED照明灯本体(Bot)に嵌めこみ後双方を接触させるばね(12)を取り付けた図
【図７】本発明によるLED照明灯構造の斜視図
【発明を実施するための形態】
【０００６】
以下、本発明の実施の形態を、図を使用して説明する。
【０００７】
図1の図(1a)は従来の、投光角度を変えられる4個のＬＥＤを取り付けたＬＥＤ照明灯（Cu）の斜視図である、左右を丸棒（3）でLED照明灯本体(2)と接続されているのでＬＥＤ照明灯本体(2)との接触面積は僅かとなり、ヒートシンクを兼ねたＬＥＤ取り付け台（1）からの熱はほとんどアルミニュームなどでできたＬＥＤ照明灯本体（2）に熱伝導されることはできない、そのためＬＥＤから発生する熱は、ＬＥＤ取り付け台(1)のみから放熱しなくてはならないため、放熱面積が十分に取れず熱を大量発生する高輝度のＬＥＤを用いることはできない。
図(2a)は、図(1a)におけるＳ-Ｓ切断断面図である、ＬＥＤは指向性があるので、角度θの投光角度を持つ、図(3a)は、ＬＥＤ取り付け台(1)の一方に矢印で示した力Fを加えて、α度傾けたＳ-Ｓ切断断面図である。
図2の図(1b)は本発明によるアルミニューム等の押し出し材からなるＬＥＤ照明灯のＬＥＤを取り付ける取り付け台(Top)の押し出し面から見た図である、LEDを取り付けるＬＥＤ取り付け面(4)とヒートシンクとなるLED照明灯本体と接続に使用される回転軸の接続穴となる回転軸穴(5)と前記回転軸穴(5)の中心を中心とする半径からなる半径Rの曲面を形成する凸部（6）からなる。
図(2ｂ)は前記取り付け台(Top)の斜視図である。
【０００８】
図3の図(1c)は、本発明によるアルミニューム等の押し出し材からなるヒートシンクを兼ねるＬＥＤ照明灯本体（Bot）であり、前記凸部（6）に対応する前記凸部（6）と同じ中心上のほぼ半径Rからなる曲面形状を形成する凹部（7）が嵌め合わされた時、取り付け台(Top)とＬＥＤ照明灯本体(Bot)を圧力にて接触させるばねのばね留め軸用穴（8）からなる、図(2c)はＬＥＤ照明灯本体（Bot）の斜視図である。
図4の図(1d)は、前記取り付け台(Top)とＬＥＤ照明灯本体(Bot)の対応する凸部（6）と凹部（7）を嵌め込む図である、図(2d)は嵌め込み後の図である、図(3d)は、ＬＥＤ照明灯本体(Top)のＬＥＤ取り付け面(4)に力Ｆ2を加わえて前記取り付け台(Top)をβ度傾けた図である。
図5の図(1e)は、前記取り付け台(Top)とＬＥＤ照明灯本体(Bot)を嵌め込んだ後の斜視図である。図(2e)は、前記図(1e)の状態に前記取り付け台(Top)上に複数のLEDを取り付けた斜視図である。
図6は、前記取り付け台(Top)の回転軸穴(5)とＬＥＤ照明灯本体(Do)のばね留め軸用穴（8）にばね受け上軸（9）ばね受け下軸（10）を嵌め込み、摩擦よけカラーを嵌め込んでから双方を接続するばね（12）を取り付けた図である。このばね(12)の力により前記取り付け台(Top)とＬＥＤ照明灯本体(Bot)はそれぞれの上下の凸凹部にて圧力の加わった状態にて接触する、しかしながら、双方の接触面の面粗さのため双方の面が完全に接触することはないので、この間にシリコングリースなどの粘性のある熱伝導材（11）を施すことにより接触面積を増加させ、接触抵抗を低減させて、前記取り付け台(Top)からの熱をＬＥＤ照明灯本体(Bot)に伝導させる
【０００９】
図7は、本発明による構造を備えたＬＥＤ照明灯の斜視図である、取り付け台(Top)には複数のＬＥＤが取り付けられ、ＬＥＤ照明灯の左右（本斜視図は、左側末端のみ表示されているが、本ＬＥＤ照明灯左右末端は対称である。）には、ばね（12）が取り付けられ、取り付け台(Top)とＬＥＤ照明灯本体(Bot)はばね（12）による力にて、その接する凹部（6）と凸部（7）は常に圧力が加わった状態で接しており、その間はジェル状のシリコングリース等で満たされているので、前記取り付け台(Top)に力を加えて回転させても、取り付け台(Top)からＬＥＤ照明灯本体(Bot)への熱伝導は衰えにくい。
【産業上の利用可能性】
【００１０】
LED照明灯構造として利用できる。
【符号の説明】
【００１１】
1.    
従来のLED取り付け台
2.    
従来のLED照明灯本体
3.    
丸棒
4.    
ＬＥＤ取り付け面
5.    
回転軸穴
6.    
凸部
7.    
凹部
8.    
ばね留め軸用穴
9.    
ばね受け上軸
10. ばね受け下軸
11. 通電剤
12. ばね
Cu   従来のLED照明灯
θ    投光角度
α    回転角度
F    力
Top  取り付け台
R    曲面半径
Bot  ＬＥＤ照明灯本体
F2  力
β  回転角度
【図１】
0005307102.tif 000002
【図２】
0005307102.tif 000003
【図３】
0005307102.tif 000004
【図４】
0005307102.tif 000005
【図５】
0005307102.tif 000006
【図６】
0005307102.tif 000007
【図７】
0005307102.tif 000008